(57)【特許請求の範囲】
【請求項１】
原子力発電所等の放射線管理区域内に入域する際に、作業者が携帯する個人被曝線量計の二次電池を充電し、かつ作業者に個人被曝線量計を貸し出す個人被曝線量計充電・貸出装置であって、個人被曝線量計を運搬する場合に個人被曝線量計の計数動作をさせる処理や交信処理を停止させて低消費電力モードにするスリープ処理を、個人被曝線量計を個人被曝線量計充電・貸出装置に装着した状態で実行させるために、スリープ処理のための信号を送信する信号処理装置に指定した順番で順次接続させてスリープ処理を実行させるための個人被曝線量計切換手段と、個人被曝線量計と前記信号処理装置との間の信号を伝送するために個々の個人被曝線量計毎に設けられた伝送部と、スリープ処理を完了した個人被曝線量計を表示させる手段と、スリープ処理を完了した個人被曝線量計のロックを外すための搬出信号を出力する手段とを備えていることを特徴とする個人被曝線量計充電・貸出装置。
【発明の詳細な説明】
【０００１】
【発明の属する技術分野】
この発明は、原子力発電所等の放射線管理区域内に入域する際に、作業者が携帯する個人被曝線量計（以下では線量計と略称する）の二次電池を充電し、かつ作業者に線量計を貸し出す個人被曝線量計充電・貸出装置（以下では、充電貸出装置と略称する）に関する。
【０００２】
【従来の技術】
図２は充電貸出装置の外観を示す斜視図であり、図３は図２のＡ部の拡大斜視図であり、図４は従来のスリープ処理を説明するためのブロック図である。
充電貸出装置１は、原子力発電所等の放射線管理区域内に入域する作業者に線量計を貸し出す。線量計は、その作業者が放射線管理区域内で作業する間に被曝した放射線の線量値を計測する計器である。作業者が放射線管理区域から退域する際には線量計をこの装置に返還する。この装置は、作業者から返還された線量計を含めたこの装置に装着されている線量計の電源である二次電池を充電して再使用に備える。
【０００３】
通常、この充電貸出装置１は横並びに10台の線量計を装着し、５段あるいは10段で１台の装置を構成していることが多い。図２は10段の場合の装置の外観である。充電貸出装置１の全面には、化粧板と線量計の挿入口を兼ねるベゼル11が取り付けられており、このベゼル11にはそれぞれの線量計に対応してその線量計が「充電中」か「充電完了」かを示す状態表示部12と、作業者が充電を完了した線量計を借用する際に線量計のロックを外すための貸出スイッチ13とが備えられている。
【０００４】
線量計がこのような充電貸出装置１に装着されている場合には、常に消費電流に見合う電流で補充電されているので問題はない。しかし、線量計をどこかへ運搬等する場合には補充電ができないので、運搬等の時間が長くなると二次電池の電力を消耗して使用に必要な電力以下になることがあり、また、運搬中に放射線を計数してそれが警報レベルに達すると警報（例えばブザー音）を発することもある。
【０００５】
このような二次電池の電力消耗と不必要な警報発生を避けるために、線量計の計数動作させる処理と交信処理を停止させて低電力消耗状態にするのがスリープ処理である。ここでは、線量計の計数動作させる処理と交信処理を停止させる例でスリープ処理を説明したが、一旦電源から外した後、再度電源に接続した場合に元の通りに動作する部分は全てスリープ処理の対象とすることができる。
【０００６】
従来技術におけるスリープ処理は、対象とする線量計を充電貸出装置１から取り出し、図４に示すように、専用の線量計接続用治具４に１台の線量計２をセットした後、スリープ処理用信号処理装置３でスリープ処理し、完了するとその線量計２を外して別の線量計を治具４にセットするという作業を繰り返していた。そのため、従来のスリープ処理には多大の作業時間を必要とするという問題点があった。
【０００７】
なお、線量計が無線式の場合には、線量計接続用治具４をアンテナ部として、線量計２をその上にセットすることでスリープ処理が実行される。
【０００８】
【発明が解決しようとする課題】
この発明の課題は、スリープ処理に要する作業時間を大幅に短縮することである。
【０００９】
【課題を解決するための手段】
この発明においては、原子力発電所等の放射線管理区域内に入域する際に、作業者が携帯する個人被曝線量計の二次電池を充電し、かつ作業者に個人被曝線量計を貸し出す個人被曝線量計充電・貸出装置であって、個人被曝線量計を運搬する場合に個人被曝線量計の計数動作をさせる処理や交信処理を停止させて低消費電力モードにするスリープ処理を、個人被曝線量計を個人被曝線量計充電・貸出装置に装着した状態で実行させるために、スリープ処理のための信号を送信する信号処理装置に指定した順番で順次接続させてスリープ処理を実行させるための個人被曝線量計切換手段と、個人被曝線量計と前記信号処理装置との間の信号を伝送するために個々の個人被曝線量計毎に設けられた伝送部と、スリープ処理を完了した個人被曝線量計を表示させる手段と、スリープ処理を完了した個人被曝線量計のロックを外すための搬出信号を出力する手段とを備えている。
【００１０】
線量計切換手段によって、スリープ処理される線量計が充電貸出装置に装着されたままで順次信号処理装置に接続され、線量計毎に備えられた伝送部を介してスリープ処理が実行される。スリープ処理が完了した線量計は表示手段によって識別される。
【００１１】
この手段は、新たな表示手段を必要とせず、しかも、線量計を充電貸出装置から取り出す際に貸出スイッチを押す操作も兼ねている。
【００１２】
【発明の実施の形態】
この発明による充電貸出装置の実施の形態を実施例にしたがって説明する。
図１は、この発明による充電貸出装置の実施例における追加機能部を示すブロック図である。
制御部14は、スリープ処理用信号処理装置３に設けられている図示していない設定入力部により与えられる情報に基づいて、スリープ処理を必要とする線量計２を判別し、充電貸出装置1aに装着されている線量計２を信号処理装置（図１ではスリープ処理用信号処理装置）３に順次接続する線量計切換手段としての機能と、スリープ処理が完了した線量計２のロックを外す搬出信号を出力する機能とを備えている。この搬出信号は、図３に示した貸出スイッチ13を押した場合と等価の動作をさせる信号であり、貸出スイッチ13の接点に並列に接続されているトランジスをＯＦＦ状態からＯＮ状態にして線量計２のロックを外す。
【００１３】
したがって、この搬出信号でトランジスタがＯＮ状態となり、線量計２のロックが外れて線量計２の先端部が充電貸出装置1aから突出してスリープ処理完了が表示される。
線量計２と制御部14との間にある伝送部15は、従来の充電貸出装置１にも備えられている伝送部と同じものであって、線量計２と管理用計算機との間に伝送される被曝線量値等の各種の情報や指令のシリアル伝送のために備えられているものであり、線量計２毎に備えられている。
【００１４】
このような制御部14を備えた充電貸出装置1aでは、制御部14に信号処理装置３が接続され、スリープ処理する線量計２が指定されることによって、線量計２を装着したままで指定された線量計２が自動的にスリープ処理され、スリープ処理を完了した線量計２のロックが外されて、処理の完了が表示される。
したがって、この充電貸出装置1aを用いれば、線量計のスリープ処理の作業は処理する線量計の指定と処理を完了した線量計の取り出しだけで済む。
【００１５】
なお、スリープ処理完了の表示としては、ランプ表示などの別の表示方法を採用することもできる。
【００１６】
【発明の効果】
この発明によれば、スリープ処理される線量計が充電貸出装置に装着されたままで順次信号処理装置に接続され、線量計毎に備えられた伝送部を介してスリープ処理が実行され、スリープ処理が完了した線量計は表示手段によって識別される。
【００１７】
その結果、スリープ処理のために要する作業時間を大幅に短縮される。
また、スリープ処理を完了した線量計を表示させる手段としては、線量計が充電貸出装置に装着されている状態ではかけられているロックを外させる手段が最適である。
この手段を使えば、新たな表示手段を追加しなくても表示ができ、しかも、線量計を充電貸出装置から取り出す際に貸出スイッチを押す操作も省略できる。
【図面の簡単な説明】
【図１】この発明による充電貸出装置の実施例における追加機能部を示すブロック図
【図２】充電貸出装置の外観を示す斜視図
【図３】図２のＡ部の拡大斜視図
【図４】従来のスリープ処理を示すブロック図
【符号の説明】
１, 1a  個人被曝線量計充電・貸出装置
11  ベゼル              12  状態表示部
13  貸出スイッチ        14  制御部
15  伝送部
２  線量計
３  スリープ処理用信号処理装置
４  線量計との接続用治具
【図１】
0003721719.tif 000002
【図２】
0003721719.tif 000003
【図３】
0003721719.tif 000004
【図４】
0003721719.tif 000005